(57)【要約】【課題】システム設計が複雑になることを回避し、高い周波数利用効率を実現する。【解決手段】複数のリソースブロックを用いて、受信装置に対して複数のトランスポートブロックを送信する送信装置１００であって、トランスポートブロック毎に送信パラメータを設定するスケジューラ部１００ａと、送信パラメータが設定された各トランスポートブロックをいずれかのリソースブロックに割り当てるＬ１処理部１０３と、リソースブロックに割り当てられたトランスポートブロックおよび割り当てた結果を示す制御情報を、受信装置に対して送信する無線送信部１０５と、を備える。【選択図】図１
2010130200.tif 000002
【特許請求の範囲】
【請求項１】
複数のリソースブロックを用いて、受信装置に対して複数のトランスポートブロックを送信する送信装置であって、
前記トランスポートブロック毎に送信パラメータを設定する送信パラメータ設定部と、
前記送信パラメータが設定された各トランスポートブロックをいずれかの前記リソースブロックに割り当てる割り当て部と、
前記リソースブロックに割り当てられたトランスポートブロックおよび前記割り当てた結果を示す制御情報を、前記受信装置に対して送信する送信部と、を備えることを特徴とする送信装置。
【請求項２】
前記制御情報は、前記各トランスポートブロックをどのリソースブロックに割り当てたのかを前記トランスポートブロック毎に独立に示すことを特徴とする請求項１記載の送信装置。
【請求項３】
前記制御情報は、前記各トランスポートブロックに設定された送信パラメータを、前記トランスポートブロック毎に独立に示すことを特徴とする請求項１記載の送信装置。
【請求項４】
複数のリソースブロックに割り当てられ、個々に送信パラメータが設定された複数のトランスポートブロックを送信装置から受信する受信装置であって、
前記リソースブロックに割り当てられ、個々に送信パラメータが設定された複数のトランスポートブロックおよび前記リソースブロックにトランスポートブロックを割り当てた結果を示す制御情報を受信する受信部と、
前記各リソースブロックから前記トランスポートブロックを取得する取得部と、を備えることを特徴とする受信装置。
【請求項５】
前記制御情報は、前記各トランスポートブロックをどのリソースブロックに割り当てたのかを前記トランスポートブロック毎に独立に示すことを特徴とする請求項４記載の受信装置。
【請求項６】
前記制御情報は、前記各トランスポートブロックに設定された送信パラメータを、前記トランスポートブロック毎に独立に示すことを特徴とする請求項４記載の受信装置。
【請求項７】
複数のリソースブロックを用いて、送信装置から受信装置に対して複数のトランスポートブロックを送信する通信システムであって、
前記送信装置は、
前記トランスポートブロック毎に送信パラメータを設定する送信パラメータ設定部と、
前記送信パラメータが設定された各トランスポートブロックをいずれかの前記リソースブロックに割り当てる割り当て部と、
前記リソースブロックに割り当てられたトランスポートブロックおよび前記割り当てた結果を示す制御情報を、前記受信装置に対して送信する送信部と、を備え、
前記受信装置は、
前記リソースブロックに割り当てられ、個々に送信パラメータが設定された複数のトランスポートブロックおよび前記リソースブロックにトランスポートブロックを割り当てた結果を示す制御情報を受信する受信部と、
前記各リソースブロックから前記トランスポートブロックを取得する取得部と、を備えることを特徴とする通信システム。
【請求項８】
複数のリソースブロックを用いて、送信装置から受信装置に対して複数のトランスポートブロックを送信する通信方法であって、
前記送信装置において、
前記トランスポートブロック毎に送信パラメータを設定するステップと、
前記送信パラメータが設定された各トランスポートブロックをいずれかの前記リソースブロックに割り当てるステップと、
前記リソースブロックに割り当てられたトランスポートブロックおよび前記割り当てた結果を示す制御情報を、前記受信装置に対して送信するステップと、
前記受信装置において、
前記リソースブロックに割り当てられ、個々に送信パラメータが設定された複数のトランスポートブロックおよび前記リソースブロックにトランスポートブロックを割り当てた結果を示す制御情報を受信するステップと、
前記各リソースブロックから前記トランスポートブロックを取得するステップと、を少なくとも含むことを特徴とする通信方法。
【発明の詳細な説明】
【技術分野】
【０００１】
本発明は、複数のリソースブロックを用いて、送信装置から受信装置に対して複数のトランスポートブロックを送信する技術に関する。
【背景技術】
【０００２】
３ＧＰＰ（3rd Generation Partnership Project：第３世代パートナーシッププロジェクト）は、Ｗ−ＣＤＭＡ（Wideband-Code Division Multiple Access：広帯域−符号分割多元接続）とＧＳＭ（Global System for Mobile Communications：ジーエスエム）を発展させたネットワークを基本した携帯電話システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに上げたＨＳＤＰＡ（High-Speed Downlink Packet Access：エイチエスディーピーエー）も標準化され、サービスが開始されている。３ＧＰＰでは、第３世代無線アクセス技術の進化であるＥＵＴＲＡ（Evolved Universal Terrestrial Radio Access）が検討されている。
【０００３】
ＥＵＴＲＡにおける下りリンク通信方式として、互いに直交するサブキャリアを用いてユーザ多重化を行なうＯＦＤＭＡ（Orthogonal Frequency Division Multiple Access：直交周波数分割多元接続）方式が提案されている。また、ＯＦＤＭＡ方式において、チャネル符号化等の適応無線リンク制御（リンクアダプテーション：Link Adaptation）に基づく適応変復調・誤り訂正方式（ＡＭＣＳ：Adaptive Modulation and Coding Scheme）といった技術が適用されている。
【０００４】
ＡＭＣＳとは、高速パケットデータ伝送を効率的に行なうために、各移動局装置のチャネル品質に応じて、誤り訂正方式、誤り訂正の符号化率、データ変調多値数などの無線伝送パラメータ（ＡＭＣモード、送信パラメータとも称する）を切り替える方式である。ＥＵＴＲＡでは、ひとつのユーザに対して周波数方向に一様な無線伝送パラメータを設定する。
【０００５】
また、周波数利用効率を向上させる技術として、ひとつのユーザに対して周波数方向に複数の無線伝送パラメータを設定する方法が考案されている。すなわち、複数のサブキャリアをブロック化し、伝搬路環境の変化に応じて、ブロック毎に無線伝送パラメータを個別に設定することにより、伝搬路環境の周波数特性に応じた無線伝送パラメータを使用することができる。
【非特許文献１】3GPP TS(Technical Specification)36.211、V8.3.0(2008-05)、Technical Specification Group Radio Access Network、Evolved Universal Terrestrial Radio Access(E-UTRA) and Evolved Universal Terrestrial Radio Access Network(E-UTRAN); Physical Channels and Modulation(Release 8)
【非特許文献２】電子情報通信学会  信学技報ＲＣＳ２００１−１０９，「適応変調を用いたバーストモードＯＦＤＭ通信方式に関する検討」，２００１年９月
【発明の開示】
【発明が解決しようとする課題】
【０００６】
しかしながら、上記のように、一つのユーザに対して周波数方向に一様な無線伝送パラメータを設定する方法は、システム設計が容易であるものの、高い周波数利用効率は得られなかった。また、前述のひとつのユーザに対して周波数方向に複数の無線伝送パラメータを設定する方法は、システム設計が複雑であるという問題があった。
【０００７】
本発明は、このような事情に鑑みてなされたものであり、システム設計が複雑になることを回避し、高い周波数利用効率を実現することができる送信装置、受信装置、通信システムおよび通信方法を提供することを目的とする。
【課題を解決するための手段】
【０００８】
（１）上記の目的を達成するために、本発明は、以下のような手段を講じた。すなわち、本発明の送信装置は、複数のリソースブロックを用いて、受信装置に対して複数のトランスポートブロックを送信する送信装置であって、前記トランスポートブロック毎に送信パラメータを設定する送信パラメータ設定部と、前記送信パラメータが設定された各トランスポートブロックをいずれかの前記リソースブロックに割り当てる割り当て部と、前記リソースブロックに割り当てられたトランスポートブロックおよび前記割り当てた結果を示す制御情報を、前記受信装置に対して送信する送信部と、を備えることを特徴としている。
【０００９】
このように、各トランスポートブロック内で送信パラメータを一様に保持することによって、各トランスポートブロックに対するトランスポートチャネルの処理または物理層の処理の複雑性を抑制することができる。そして、一つのユーザに対して周波数方向に複数の送信パラメータを設定することができるため、高い周波数利用効率を得ることが可能となる。
【００１０】
（２）また、本発明の送信装置において、前記制御情報は、前記各トランスポートブロックをどのリソースブロックに割り当てたのかを前記トランスポートブロック毎に独立に示すことを特徴としている。
【００１１】
このように、制御情報は、各トランスポートブロックをどのリソースブロックに割り当てたのかをトランスポートブロック毎に独立に示すので、各トランスポートブロック内で送信パラメータを一様に保持することによって、各トランスポートブロックに対するトランスポートチャネルの処理または物理層の処理の複雑性を抑制することができる。
【００１２】
（３）また、本発明の送信装置において、前記制御情報は、前記各トランスポートブロックに設定された送信パラメータを、前記トランスポートブロック毎に独立に示すことを特徴としている。
【００１３】
このように、制御情報は、各トランスポートブロックに設定された送信パラメータを、トランスポートブロック毎に独立に示すので、各トランスポートブロック内で送信パラメータを一様に保持することによって、各トランスポートブロックに対するトランスポートチャネルの処理または物理層の処理の複雑性を抑制することができる。
【００１４】
（４）また、本発明の受信装置は、複数のリソースブロックに割り当てられ、個々に送信パラメータが設定された複数のトランスポートブロックを送信装置から受信する受信装置であって、前記リソースブロックに割り当てられ、個々に送信パラメータが設定された複数のトランスポートブロックおよび前記リソースブロックにトランスポートブロックを割り当てた結果を示す制御情報を受信する受信部と、前記各リソースブロックから前記トランスポートブロックを取得する取得部と、を備えることを特徴としている。
【００１５】
このように、各トランスポートブロック内で送信パラメータを一様に保持することによって、各トランスポートブロックに対するトランスポートチャネルの処理または物理層の処理の複雑性を抑制することができる。そして、一つのユーザに対して周波数方向に複数の送信パラメータを設定することができるため、高い周波数利用効率を得ることが可能となる。
【００１６】
（５）また、本発明の受信装置において、前記制御情報は、前記各トランスポートブロックをどのリソースブロックに割り当てたのかを前記トランスポートブロック毎に独立に示すことを特徴としている。
【００１７】
このように、制御情報は、各トランスポートブロックをどのリソースブロックに割り当てたのかをトランスポートブロック毎に独立に示すので、各トランスポートブロック内で送信パラメータを一様に保持することによって、各トランスポートブロックに対するトランスポートチャネルの処理または物理層の処理の複雑性を抑制することができる。
【００１８】
（６）また、本発明の受信装置において、前記制御情報は、前記各トランスポートブロックに設定された送信パラメータを、前記トランスポートブロック毎に独立に示すことを特徴としている。
【００１９】
このように、制御情報は、各トランスポートブロックに設定された送信パラメータを、トランスポートブロック毎に独立に示すので、各トランスポートブロック内で送信パラメータを一様に保持することによって、各トランスポートブロックに対するトランスポートチャネルの処理または物理層の処理の複雑性を抑制することができる。
【００２０】
（７）また、本発明の通信システムは、複数のリソースブロックを用いて、送信装置から受信装置に対して複数のトランスポートブロックを送信する通信システムであって、前記送信装置は、前記トランスポートブロック毎に送信パラメータを設定する送信パラメータ設定部と、前記送信パラメータが設定された各トランスポートブロックをいずれかの前記リソースブロックに割り当てる割り当て部と、前記リソースブロックに割り当てられたトランスポートブロックおよび前記割り当てた結果を示す制御情報を、前記受信装置に対して送信する送信部と、を備え、前記受信装置は、前記リソースブロックに割り当てられ、個々に送信パラメータが設定された複数のトランスポートブロックおよび前記リソースブロックにトランスポートブロックを割り当てた結果を示す制御情報を受信する受信部と、前記各リソースブロックから前記トランスポートブロックを取得する取得部と、を備えることを特徴としている。
【００２１】
このように、各トランスポートブロック内で送信パラメータを一様に保持することによって、各トランスポートブロックに対するトランスポートチャネルの処理または物理層の処理の複雑性を抑制することができる。そして、一つのユーザに対して周波数方向に複数の送信パラメータを設定することができるため、高い周波数利用効率を得ることが可能となる。
【００２２】
（８）また、本発明の通信方法は、複数のリソースブロックを用いて、送信装置から受信装置に対して複数のトランスポートブロックを送信する通信方法であって、前記送信装置において、前記トランスポートブロック毎に送信パラメータを設定するステップと、前記送信パラメータが設定された各トランスポートブロックをいずれかの前記リソースブロックに割り当てるステップと、前記リソースブロックに割り当てられたトランスポートブロックおよび前記割り当てた結果を示す制御情報を、前記受信装置に対して送信するステップと、前記受信装置において、前記リソースブロックに割り当てられ、個々に送信パラメータが設定された複数のトランスポートブロックおよび前記リソースブロックにトランスポートブロックを割り当てた結果を示す制御情報を受信するステップと、前記各リソースブロックから前記トランスポートブロックを取得するステップと、を少なくとも含むことを特徴としている。
【００２３】
このように、各トランスポートブロック内で送信パラメータを一様に保持することによって、各トランスポートブロックに対するトランスポートチャネルの処理または物理層の処理の複雑性を抑制することができる。そして、一つのユーザに対して周波数方向に複数の送信パラメータを設定することができるため、高い周波数利用効率を得ることが可能となる。
【発明の効果】
【００２４】
本発明によれば、各トランスポートブロック内で送信パラメータを一様に保持することによって、各トランスポートブロックに対するトランスポートチャネルの処理または物理層の処理の複雑性を抑制することができる。そして、一つのユーザに対して周波数方向に複数の送信パラメータを設定することができるため、高い周波数利用効率を得ることが可能となる。
【発明を実施するための最良の形態】
【００２５】
本発明では、一人のユーザに対して、１つのサブフレーム内で複数のトランスポートブロックを用いて送信データを送信する。各トランスポートブロックは一つの符号化率を用いて誤り訂正符号化され、一つの変調方式を用いて変調される。また、トランスポートブロック間の符号化率と変調方式は、独立に設定することができる。
【００２６】
（第１の実施形態）
ＥＵＴＲＡに本発明を適用する場合の一例を用いて説明する。なお、本実施形態ではＥＵＴＲＡの無線パラメータを用いて説明するが、これらはあくまで一例であり、他の無線パラメータを用いた場合においても、本発明を適用できることは勿論である。
【００２７】
図１４は、基地局装置と移動局装置の間で送受信されるＥＵＴＲＡのチャネルを示す図である。ＥＵＴＲＡの下りリンクの物理チャネルには、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）が含まれる。上りリンクの物理チャネルには、物理上りリンク共用チャネル（ＰＵＳＣＨ：Physical Uplink Shared Channel）、物理上りリンク制御チャネル（ＰＵＣＣＨ：Physical Uplink Control Channel）、物理ランダムアクセスチャネル（ＰＲＡＣＨ：Physical Random Access Channel）が含まれる。
【００２８】
図１５は、ＥＵＴＲＡの下りリンクで用いるフレーム構成を示す図である。図１５において、横軸は時間を示しており、縦軸は周波数を示している。システムフレーム番号（ＳＦＮ：System Frame Number）で識別される無線フレームは１０ミリ秒（１０ｍｓ）で構成されている。また、１サブフレームは１ミリ秒（１ｍｓ）で構成されており、無線フレームには１０個のサブフレーム＃Ｆ０〜＃Ｆ９が含まれる。
【００２９】
図１５に示すように、下りリンクで用いる無線フレームには、物理制御フォーマット指示チャネル（ＰＣＦＩＣＨ）、物理ハイブリッド自動再送要求指示チャネル（ＰＨＩＣＨ）、物理下りリンク制御チャネル（ＰＤＣＣＨ）、物理下りリンク同期信号、物理報知チャネル（ＰＢＣＨ）、物理下りリンク共用チャネル（ＰＤＳＣＨ）／物理マルチキャストチャネル（ＰＭＣＨ）、下りリンク参照信号が配置されている。
【００３０】
１サブフレーム（例えば、サブフレーム＃Ｆ０）は、２つのスロット＃Ｓ０、＃Ｓ１に分離される。通常のサイクリックプレフィックス（ｎｏｒｍａｌ  ＣＰ）が使用される場合、下りリンクのスロットは７個のＯＦＤＭシンボルで構成される。なお、拡張ＣＰ（ｌｏｎｇ  ＣＰ、または、ｅｘｔｅｎｄｅｄ  ＣＰとも称する）が使用される場合は、下りリンクのスロットは６個のＯＦＤＭシンボルで構成される。
【００３１】
また、１つのスロットは周波数方向に複数のブロックに分割される。１５ｋＨｚのサブキャリア１２本を周波数方向の単位として、１個の物理リソースブロック（ＰＲＢ）を構成する。物理リソースブロック（ＰＲＢ）数は、システム帯域幅に応じて、６個から１１０個までサポートされる。図１４では、物理リソースブロック（ＰＲＢ）数が２５個の場合を示す。
【００３２】
リソース割り当ては、時間方向にサブフレーム単位かつ周波数方向に物理リソースブロック（ＰＲＢ）単位で行なわれる。すなわち、サブフレーム内の２つのスロットは、一つのリソース割り当て信号で割り当てられる。サブキャリアとＯＦＤＭシンボルで構成される単位をリソースエレメントと称する。物理層でのリソースマッピング処理で各リソースエレメントに対して変調シンボルなどがマッピングされる。
【００３３】
媒体アクセス制御（ＭＡＣ：Medium Access Control）層は、各端末装置の使用可能な下りリンク物理リソースブロック（ＰＲＢ）の情報、バッファ状況、上位層（図示しない）から入力されたスケジューリング情報などに基づいて、各データを変調するための下りリンクのトランスポートフォーマット（送信形態）、すなわち、物理リソースブロック（ＰＲＢ）の割り当ておよび変調方式および符号化方式などの選定処理、ＨＡＲＱにおける再送制御および下りリンクのスケジューリングに使用されるスケジューリング情報の生成を行なう。
【００３４】
図１は、本実施形態に係る送信装置１００のブロック構成の一例を示す図である。基地局装置（送信装置）１００は、媒体アクセス制御（ＭＡＣ：Medium Access Control）層１０１、トランスポート処理部１０２、Ｌ１処理部１０３、ＯＦＤＭ変調部１０４、無線送信部１０５、アンテナ部１０６、およびスケジューラ部１００ａを有する。
【００３５】
スケジューラ部１００ａは、トランスポートブロック毎に送信パラメータ、すなわち、符号化率および変調方式を設定する。ＭＡＣ層１０１では、上位層からのデータにヘッダ情報を付加し、物理層の伝送レートなどを考慮して任意のサイズのトランスポートブロック（ＴＢ：Transport Block）に分割した後、トランスポートブロック単位でデータをトランスポート処理部１０２に引き渡す。また、ＭＡＣ層１０１は、各物理層およびトランスポートチャネルの処理を統合して制御するため、ＭＡＣ層１０１と、トランスポート処理部１０２、Ｌ１処理部１０３、ＯＦＤＭ変調部１０４、無線送信部１０５、およびアンテナ部１０６との間のインターフェースが存在する。ただし、図示しない。
【００３６】
トランスポート処理部１０２はＭＡＣ層１０１から送られた１つ以上のトランスポートブロックのそれぞれに対して、誤り訂正符号化などのトランスポートチャネルの処理を施す。Ｌ１処理部１０３は、トランスポートチャネルの処理が施されたデータのそれぞれに対して、変調などの物理層の処理を施す。トランスポート処理部１０２とＬ１処理部１０３における処理はユーザ毎に行なわれる。トランスポート処理部１０２とＬ１処理部１０３における処理の詳細に関しては後述する。
【００３７】
トランスポート処理部１０２とＬ１処理部１０３においてユーザ（端末装置）毎に処理されたデータは、サブフレームに割り当てられた複数ユーザ分まとめてＯＦＤＭ変調部１０４においてＯＦＤＭ信号に変換され、無線送信部１０５からアンテナ部１０６を介して送信される。
【００３８】
図３は、トランスポート処理部１０２、Ｌ１処理部１０３の内部ブロック構成の一例を示す図である。なお、ここで説明する処理は、一人のユーザ宛のＭ（Ｍは非負整数）個のトランスポートブロックに対する処理の一例である。トランスポート処理部１０２は、Ｍ個のＴＢ毎トランスポート処理部３０１−１〜３０１−Ｍを有し、それぞれのＴＢ毎トランスポート処理部３０１−１〜３０１−Ｍは、誤り検出符号化部３０６、誤り訂正符号化部３０７、レートマッチング部３０８を有する。
【００３９】
また、Ｌ１処理部１０３は、Ｍ個ずつのＣＷ毎変調部３０２−１〜３０２−Ｍ、レイヤマッピング部３０３−１〜３０３−Ｍ、プリコーディング部３０４−１〜３０４−Ｍと、リソースマッピング部３０５を有し、それぞれのＣＷ毎変調部３０２−１〜３０２−Ｍはスクランブリング部３０９と変調部３１０を有する。
【００４０】
ＭＡＣ層１０１から送られた一人のユーザ宛のＭ（Ｍは非負整数）個のトランスポートブロックであるＴＢ１〜ＴＢＭは、トランスポート処理部１０２内のＴＢ毎トランスポート処理部３０１−１〜３０１−Ｍにおいてトランスポートチャネルの処理が施される。具体的には、それぞれのトランスポートブロックは、誤り検出符号化部３０６において、巡回冗長検査（ＣＲＣ：Cyclic Redundancy Check）ビット付加などの誤り検出符号化処理が施される。次に、誤り訂正符号化部３０７において、ターボ符号化やビタビ符号化などの誤り訂正符号化処理が施され、レートマッチング部３０８において、パンクチャリング・リピテーション・インタリービングなどの処理が施される。レートマッチング部３０８における処理は符号化率を調節することによって、ＭＡＣ層１０１から送られるトランスポートブロックの伝送レートと物理フレームの伝送レートを合わせる処理である。
【００４１】
ここで、ＴＢ毎トランスポート処理部３０１−１〜３０１−Ｍにおける誤り検出符号化処理と誤り訂正符号化処理は、同様の処理を用いてもよい。この場合、共通の回路を用いることができる。一方、ＴＢ毎トランスポート処理部３０１−１〜３０１−Ｍにおけるレートマッチング処理では、符号化率をそれぞれ独立に設定することができる。ＴＢ毎トランスポート処理部３０１−１〜３０１−Ｍにおいて、トランスポートチャネルの処理が施されたトランスポートブロックＴＢ１〜ＴＢＭは、それぞれコードワードＣＷ１〜ＣＷＭと呼ばれる。
【００４２】
トランスポート処理部１０２から出力されたコードワードＣＷ１〜ＣＷＭのそれぞれは、Ｌ１処理部１０３内のＣＷ毎変調部３０２−１〜３０２−Ｍで変調などの処理が行なわれる。具体的には、それぞれのコードワードは、スクランブリング部３０９においてスクランブリング処理が施され、変調部３１０においてＱＰＳＫ変調・１６ＱＡＭ変調・６４ＱＡＭ変調などのデジタル変調処理が施される。ここで、ＣＷ毎変調部３０２−１〜３０２−Ｍにおけるデジタル変調処理では、変調方式をそれぞれ独立に設定することができる。
【００４３】
コードワードＣＷ１〜ＣＷＭに変調処理などが施された系列ｄ１〜ｄＭのそれぞれは、レイヤマッピング部３０３−１〜３０３−Ｍにおいて、空間多重のレイヤにマッピングされ、系列ｘ１〜ｘＭが出力される。なお、図３はレイヤ数がいずれも１である場合について示している。
【００４４】
次に、系列ｘ１〜ｘＭは、プリコーディング部３０４−１〜３０４−Ｍにおいて、プリコーディング処理が施され、系列ｙ１〜ｙＭが出力される。系列ｙ１〜ｙＭは、リソースマッピング部３０５において、このユーザに割り当てられたリソースブロック内のリソースエレメントにマッピングされる。
【００４５】
次に、リソースマッピング部３０５におけるリソースマッピングの一例について、図５を用いて説明する。図５は、周波数方向に複数のＰＲＢが配置されている様子を示した図である。これら複数のＰＲＢは、ある一人のユーザに割り当てる可能性があるＰＲＢである。また、このユーザに対して２つのトランスポートブロックを用いてデータ送信を行なうものとする。すなわちＭが２の場合の一例である。
【００４６】
系列ｙ１とｙ２は、それぞれ複数のＰＲＢに割り当てられる。このとき、系列ｙ１が割り当てられるＰＲＢの候補と系列ｙ２が割り当てられるＰＲＢの候補は、ともに図５内のＰＲＢのすべてである。ここで、系列ｙ１とｙ２のＰＲＢへの割り当て方としては、系列ｙ１の方がｙ２より要求品質の高い符号化率あるいは変調方式である場合、候補となるＰＲＢの中で品質の良好なＰＲＢに系列ｙ１を割り当て、候補となるＰＲＢの中で品質が良好ではないＰＲＢに系列ｙ２を割り当てる方法などを用いることができる。
【００４７】
このように、それぞれのトランスポートブロック内では、符号化率や変調方式を一様に保持することにより、各トランスポートブロックに対するトランスポートチャネルの処理あるいは物理層の処理の複雑性を抑制することができる。
【００４８】
また、それぞれの系列の割り当て方に関しては、ＥＵＴＲＡと同様の割り当て方を用いることができる。すなわち、割り当て方を端末装置２００に通知するには、系列ｙ１とｙ２のそれぞれの割り当て方をＥＵＴＲＡと同様の方法でそれぞれ通知することにより、本実施例における割り当て方を通知することができる。なお、当然、通知の仕方はこれに限られるものではない。系列ｙ１の割り当て方が決まった時点で、系列ｙ２の割り当て方には制限が加わるため、これを用いて系列ｙ２の割り当て方を通知する情報量を削減することもできる。あるいは、それぞれの割り当て方を個別に通知するのではなく、まとめて通知するような他の通知の仕方を用いても良い。
【００４９】
図２は、本実施形態に係る端末装置（受信装置）２００のブロック構成の一例を示す図である。端末装置２００は、アンテナ部２０１、無線受信部２０２、ＯＦＤＭ復調部２０３、Ｌ１処理部２０４、トランスポート処理部２０５、ＭＡＣ層２０６、スケジューラ部２００ａを有する。ＭＡＣ層２０６は、各物理層およびトランスポートチャネルの処理を統合して制御するため、ＭＡＣ層と、アンテナ部２０１、無線受信部２０２、ＯＦＤＭ復調部、Ｌ１処理部２０４、トランスポート処理部２０５との間のインターフェースが存在する。ただし、図示しない。
【００５０】
アンテナ部２０１を介して、送信装置１００から送信された信号を無線受信部２０２で受信する。受信した信号は、ＯＦＤＭ復調部２０３においてＯＦＤＭ復調され、ＯＦＤＭ復調された受信データがＬ１処理部２０４に送られる。
【００５１】
Ｌ１処理部２０４は、ＯＦＤＭ復調された受信データから端末装置２００宛の受信データを取り出して、復調などの物理層の処理を施す。トランスポート処理部２０５は、誤り訂正復号化などのトランスポートチャネルの処理を施し、取得した１つ以上のトランスポートブロックをＭＡＣ層２０６に引き渡す。スケジューラ部２００ａは、基地局装置１００が設定した送信パラメータを、受信機内で設定する。
【００５２】
図４は、Ｌ１処理部２０４とトランスポート処理部２０５の概略構成を示す図である。なお、ここで説明するＬ１処理部２０４とトランスポート処理部２０５の処理は、端末装置２００宛のＭ（Ｍは非負整数）個のトランスポートブロックに対する処理の一例である。
【００５３】
Ｌ１処理部２０４は、リソースデマッピング部４０１、Ｍ個ずつの合成部４０２−１〜４０２−Ｍ、ＣＷ毎復調部４０３−１〜４０３−Ｍを有し、それぞれのＣＷ毎復調部４０３−１〜４０３−Ｍは復調部４０５とデスクランブリング部４０６を有する。また、トランスポート処理部２０５は、Ｍ個のＣＷ毎トランスポート処理部４０４−１〜４０４−Ｍを有し、それぞれのＣＷ毎トランスポート処理部４０４−１〜４０４−Ｍは、レートマッチング部４０７と復号化部４０８を有する。
【００５４】
リソースデマッピング部４０１は、端末装置２００のＣＷ１〜ＣＷＭに割り当てられたリソースブロック内のリソースエレメントから、ＣＷ１〜ＣＷＭに対応する系列を取り出す。リソースデマッピング部４０１において取り出されたＭ個の系列はそれぞれ、合成部４０２−１〜４０２−Ｍにおいて、プリコーディング部３０４−１〜３０４−Ｍおよびレイヤマッピング部３０３−１〜３０３−Ｍにおける処理に対応した合成処理が施され、コードワードＣＷ１〜ＣＷＭに対応するＭ個の受信シンボル系列が合成される。
【００５５】
構成されたＭ個の受信シンボル系列は、ＣＷ毎復調部４０３−１〜４０３−Ｍで復調などの処理が行なわれる。具体的には、それぞれの受信シンボル系列は、復調部４０５においてＱＰＳＫ変調・１６ＱＡＭ変調・６４ＱＡＭ変調など、変調部３１０でのデジタル変調処理に対応する復調処理が施され、デスクランブリング部４０６においてスクランブリング部３０９に対応するデスクランブリング処理が施され、Ｍ個の受信コードワードが取り出される。なお、それぞれの受信コードワードはビット系列であってもよいし、より好ましくは尤度情報系列として出力される。
【００５６】
トランスポート処理部２０５内のＣＷ毎トランスポート処理部４０４−１〜４０４−Ｍにおいてトランスポートチャネルの処理が施される。具体的には、Ｍ個の受信コードワードのそれぞれに対して、レートマッチング部４０７において、デパンクチャリング・コンバイニング・デインタリービングなどの処理が施される。これらの処理は、レートマッチング部３０８におけるパンクチャリング・リピテーション・インタリービングの処理に対応する処理である。レートマッチング処理が施された受信コードワードのそれぞれは、復号化部４０８において誤り訂正復号化処理および誤り検出復号化処理が施され、Ｍ個のトランスポートブロックＴＢ１〜ＴＢＭが取り出される。
【００５７】
ここで、これら誤り訂正復号化処理および誤り検出復号化処理はそれぞれ、誤り訂正符号化部３０７における誤り訂正符号化処理および誤り検出符号化部３０６における誤り検出符号化処理に対応する処理である。取り出されたトランスポートブロックの中で、誤り検出復号処理により誤りが検出されたかったトランスポートブロックは、ＭＡＣ層２０６に送られる。
【００５８】
図１１は、本実施形態に係るＴＢインデクスとＴＢ順との対応付け方法の一例を示す図である。ＭＡＣ層から引き渡される複数個のＴＢはＭＡＣ層内で順序付けされており、図１１に示す例では、この順である１〜ＭがＴＢインデクスＴＢ１〜ＴＢＭのサブスクリプトと一致する。なお、リバースフラグ等が別途送信されている場合、ＴＢ順に対してＴＢインデクスを逆に関連付けてもよい。すなわち、１〜ＭのＴＢ順に対して、ＴＢインデクスはＴＢＭ〜ＴＢ１と関連付けする。これにより、ＴＢ順に関する情報を送信装置と受信装置との間でやり取りすることなく、受信装置側で正しい順序でＭＡＣ層に複数のＴＢを引き渡すことができる。
【００５９】
このように、それぞれのトランスポートブロック内では、符号化率や変調方式を一様に保持しながら、トランスポートブロック間では独立にこれらのパラメータを設定し、各トランスポートブロックを割り当てるリソースブロックの候補となる帯域は、複数のトランスポートブロック間で共通に設定する。これにより、各トランスポートブロックに対するトランスポートチャネルの処理あるいは物理層の処理の複雑性を抑制しながら、ひとつのユーザに対して周波数方向に複数の無線伝送パラメータ（送信パラメータ）を設定することができるため、高い周波数利用効率が得られる。
【００６０】
（第２の実施形態）
ＭＩＭＯあるいは送信ダイバーシチを行なうＥＵＴＲＡに本発明を適用する場合の一例を用いて説明する。なお、本実施形態ではＥＵＴＲＡの無線パラメータを用いて説明するが、これらはあくまで一例であり、他の無線パラメータを用いた場合においても、本発明を適用できることは勿論である。
【００６１】
図６は、本実施形態に係るＮ（Ｎは自然数）本の送信アンテナを持つ送信装置６００のブロック構成の一例に示す図である。基地局装置６００は、ＭＡＣ層６０１、トランスポート処理部６０２、Ｌ１処理部６０３、ＯＦＤＭ変調部６０４−１〜６０４−Ｎ、無線送信部６０５−１〜６０５−Ｎ、アンテナ部（送信アンテナ）６０６−１〜６０６−Ｎ、およびスケジューラ部６００ａを有する。
【００６２】
スケジューラ部６００ａは、トランスポートブロック毎に送信パラメータ、すなわち、符号化率および変調方式を設定する。ＭＡＣ層６０１では、上位層からのデータにヘッダ情報を付加し、物理層の伝送レートなどを考慮して任意のサイズのトランスポートブロックに分割した後、トランスポートブロック単位でデータをトランスポート処理部６０２に引き渡す。また、ＭＡＣ層６０１は、各物理層およびトランスポートチャネルの処理を統合して制御するため、ＭＡＣ層６０１と、トランスポート処理部６０２、Ｌ１処理部６０３、ＯＦＤＭ変調部６０４、無線送信部６０５、およびアンテナ部６０６との間のインターフェースが存在する。ただし、図示しない。
【００６３】
トランスポート処理部６０２はＭＡＣ層６０１から送られた１つ以上のトランスポートブロックのそれぞれに対して、誤り訂正符号化などのトランスポートチャネルの処理を施す。Ｌ１処理部６０３は、トランスポートチャネルの処理が施されたデータのそれぞれに対して、変調などの物理層の処理を施す。トランスポート処理部６０２とＬ１処理部６０３における処理はユーザ毎に行なわれる。トランスポート処理部６０２とＬ１処理部６０３における処理の詳細に関しては後述する。
【００６４】
トランスポート処理部６０２とＬ１処理部６０３においてユーザ（端末装置）毎に処理されたデータは、サブフレームに割り当てられた複数ユーザ分まとめてＯＦＤＭ変調部６０４−１〜６０４−ＮにおいてＯＦＤＭ信号に変換され、無線送信部６０５−１〜６０５−Ｎからアンテナ部６０６−１〜６０６−Ｎを介して送信される。
【００６５】
図８は、トランスポート処理部６０２、Ｌ１処理部６０３の内部ブロック構成の一例を示す図である。なお、ここで説明する処理は、一人のユーザ宛のＭ×Ｎ（Ｍは非負整数）個のトランスポートブロックに対する処理の一例である。
【００６６】
トランスポート処理部６０２は、Ｍ×Ｎ個のＴＢ毎トランスポート処理部８０１―１，１〜８０１―Ｍ，Ｎを有し、それぞれのＴＢ毎トランスポート処理部８０１は、誤り検出符号化部８０６、誤り訂正符号化部８０７、レートマッチング部８０８を有する。
【００６７】
また、Ｌ１処理部６０３は、Ｍ×Ｎ個ずつのＣＷ毎変調部８０２−１，１〜８０２−Ｍ，Ｎ、Ｍ個ずつのレイヤマッピング部８０３−１〜８０３−Ｍ、プリコーディング部８０４−１〜８０４−Ｍと、リソースマッピング部８０５を有し、それぞれのＴＢ毎変調部８０２はスクランブリング部８０９と変調部８１０を有する。
【００６８】
ＭＡＣ層６０１から送られた一人のユーザ宛のＭ×Ｎ（Ｍは非負整数）個のトランスポートブロックであるＴＢ１，１〜ＴＢＭ，Ｎは、トランスポート処理部６０２内のＴＢ毎トランスポート処理部８０１−１，１〜８０１−Ｍ，Ｎにおいてトランスポートチャネルの処理が施される。具体的には、それぞれのトランスポートブロックは、誤り検出符号化部８０６において、巡回冗長検査（ＣＲＣ：Cyclic Redundancy Check）ビット付加などの誤り検出符号化処理が施される。次に、誤り訂正符号化部８０７において、ターボ符号化やビタビ符号化などの誤り訂正符号化処理が施され、レートマッチング部８０８において、パンクチャリング・リピテーション・インタリービングなどの処理が施される。レートマッチング部８０８における処理は符号化率を調節することによって、ＭＡＣ層６０１から送られるトランスポートブロックの伝送レートと物理フレームの伝送レートを合わせる処理である。ここで、ＴＢ毎トランスポート処理部８０１−１，１〜８０１−Ｍ，Ｎにおける誤り検出符号化処理と誤り訂正符号化処理は、同様の処理を用いてもよい。この場合、共通の回路を用いることができる。
【００６９】
一方、ＴＢ毎トランスポート処理部８０１−１，１〜８０１−Ｍ，Ｎにおけるレートマッチング処理では、符号化率をそれぞれ独立に設定することができる。ＴＢ毎トランスポート処理部８０１−１，１〜８０１−Ｍ，Ｎにおいて、トランスポートチャネルの処理が施されたトランスポートブロックＴＢ１，１〜ＴＢＭ，Ｎは、それぞれコードワードＣＷ１，１〜ＣＷＭ，Ｎと呼ばれる。
【００７０】
トランスポート処理部６０２から出力されたコードワードＣＷ１，１〜ＣＷＭ，Ｎのそれぞれは、Ｌ１処理部６０３内のＣＷ毎変調部８０２−１，１〜８０２−Ｍ，Ｎで変調などの処理が行なわれる。具体的には、それぞれのコードワードは、スクランブリング部８０９においてスクランブリング処理が施され、変調部８１０においてＱＰＳＫ変調・１６ＱＡＭ変調・６４ＱＡＭ変調などのデジタル変調処理が施される。ここで、ＣＷ毎変調部８０２−１，１〜８０２−Ｍ，Ｎにおけるデジタル変調処理では、変調方式をそれぞれ独立に設定することができる。
【００７１】
コードワードＣＷ１，１〜ＣＷＭ，Ｎに変調処理などが施された系列ｄ１，１…ｄ１、Ｎ〜ｄＭ，１…ｄＭ，Ｎのそれぞれは、レイヤマッピング部８０３−１〜８０３−Ｍにおいて、空間多重のレイヤにマッピングされ、系列ｘ１，１…ｘ１，Ｎ〜ｘＭ，１…ｘＭ，Ｎが出力される。なお、図８はレイヤ数がいずれもＮである場合について示している。１つのＴＢが複数レイヤに分配されるような場合は、各レイヤマッピング部に入力される系列数に比べて出力される系列数は多くなる。
【００７２】
次に、系列ｘ１，１…ｘ１，Ｎ〜ｘＭ，１…ｘＭ，Ｎは、プリコーディング部８０４−１〜８０４−Ｍにおいてプリコーディング処理が施され、系列ｙ１，１…ｙ１，Ｎ〜ｙＭ，１…ｙＭ，Ｎが出力される。系列ｙ１，１…ｙ１，Ｎ〜ｙＭ，１…ｙＭ，Ｎは、リソースマッピング部８０５において、このユーザに割り当てられたリソースブロック内のリソースエレメントにマッピングされる。
【００７３】
次に、リソースマッピング部８０５におけるリソースマッピングの一例について、図９を用いて説明する。図９は、周波数方向に複数のＰＲＢが配置されている様子を示した図である。これら複数のＰＲＢは、ある一人のユーザに割り当てる可能性があるＰＲＢである。左側がアンテナポート＃０、右側がアンテナポート＃１のＰＲＢ配置を示している。また、このユーザに対して２つのアンテナポートを介してＳＵ（Single User）−ＭＩＭＯにより４つのトランスポートブロックを用いてデータ送信を行なうものとする。すなわちＭが２でＮが２の場合の一例である。
【００７４】
系列ｙ１，１、ｙ１，２、ｙ２，１、ｙ２，２は、それぞれ複数のＰＲＢに割り当てられる。このとき、系列ｙ１，１が割り当てられるＰＲＢの候補と系列ｙ２，１が割り当てられるＰＲＢの候補は、ともに図９の左図内のＰＲＢのすべてである。同様に、系列ｙ１，２が割り当てられるＰＲＢの候補と系列ｙ２，２が割り当てられるＰＲＢの候補は、ともに図９の右図内のＰＲＢのすべてである。ここで、系列ｙ１，１とｙ２，１のＰＲＢへの割り当て方としては、系列ｙ１，１の方がｙ２，１より要求品質の高い符号化率あるいは変調方式である場合、候補となるＰＲＢの中で品質の良好なＰＲＢに系列ｙ１，１を割り当て、候補となるＰＲＢの中で品質が良好ではないＰＲＢに系列ｙ２，１を割り当てる方法などを用いることができる。ＳＵ−ＭＩＭＯであるため、ｙ１，１とｙ１，２、ｙ２，１とｙ２，２はそれぞれ同じ周波数のＰＲＢに割り当てられる（アンテナポートが異なる）。
【００７５】
このように、それぞれのトランスポートブロック内では、符号化率や変調方式を一様に保持することにより、各トランスポートブロックに対するトランスポートチャネルの処理あるいは物理層の処理の複雑性を抑制することができる。
【００７６】
また、それぞれの系列の割り当て方に関しては、ＥＵＴＲＡと同様の割り当て方を用いることができる。すなわち、割り当て方を端末装置７００に通知するには、系列ｙ１，１とｙ２，１のそれぞれの割り当て方をＥＵＴＲＡと同様の方法でそれぞれ通知することにより、本実施例における割り当て方を通知することができる（ここではＳＵ−ＭＩＭＯを想定して説明しているため、系列ｙ１，１とｙ２，１の周波数方向の割り当てと系列ｙ１，２とｙ２，２の周波数方向の割り当ては同じであるため、系列ｙ１，１とｙ２，１の割り当てを通知するだけでよい）。なお、当然、通知の仕方はこれに限られるものではない。系列ｙ１，１の割り当て方が決まった時点で、系列ｙ２，１の割り当て方には制限が加わるため、これを用いて系列ｙ２，１の割り当て方を通知する情報量を削減することもできる。あるいは、それぞれの割り当て方を個別に通知するのではなく、まとめて通知するような他の通知の仕方を用いても良い。
【００７７】
図７は、本実施形態に係る端末装置７００のブロック構成の一例を示す図である。端末装置７００は、アンテナ部７０１−１〜７０１−Ｎ、無線受信部７０２−１〜７０２−Ｎ、ＯＦＤＭ復調部７０３−１〜７０３−Ｎ、Ｌ１処理部７０４、トランスポート処理部７０５、ＭＡＣ層７０６、およびスケジューラ部７００ａを有する。
【００７８】
ＭＡＣ層７０６は、各物理層およびトランスポートチャネルの処理を統合して制御するため、ＭＡＣ層と、アンテナ部７０１、無線受信部７０２、ＯＦＤＭ復調部、Ｌ１処理部７０４、トランスポート処理部７０５との間のインターフェースが存在する。ただし、図示しない。
【００７９】
Ｎ個のアンテナ部７０１―１〜７０１―Ｎを介して、送信装置６００から送信された信号を無線受信部７０２−１〜７０２−Ｎで受信する。受信した信号のそれぞれは、ＯＦＤＭ復調部７０３−１〜７０３−ＮにおいてＯＦＤＭ復調され、ＯＦＤＭ復調された受信データがＬ１処理部７０４に送られる。
【００８０】
Ｌ１処理部７０４は、ＯＦＤＭ復調された受信データから端末装置７００宛の受信データに取り出して、復調などの物理層の処理を施す。トランスポート処理部７０５は、誤り訂正復号化などのトランスポートチャネルの処理を施し、取得した１つ以上のトランスポートブロックをＭＡＣ層７０６に引き渡す。スケジューラ部７００ａは、基地局装置６００が設定した送信パラメータを、受信機内で設定する。
【００８１】
図１０は、Ｌ１処理部７０４とトランスポート処理部７０５の概略構成を示す図である。なお、ここで説明するＬ１処理部７０４とトランスポート処理部７０５の処理は、端末装置７００宛のＭ×Ｎ（Ｍは非負整数）個のトランスポートブロックに対する処理の一例である。
【００８２】
Ｌ１処理部７０４は、リソースデマッピング部１００１、Ｍ個の合成部１００２−１〜１００２−Ｍ、Ｍ×Ｎ個のＣＷ毎復調部１００３―１，１〜１００３―Ｍ，Ｎを有し、それぞれのＣＷ毎復調部１００３は復調部１００５とデスクランブリング部１００６を有する。また、トランスポート処理部７０５は、Ｍ×Ｎ個のＣＷ毎トランスポート処理部１００４−１，１〜１００４−Ｍ，Ｎを有し、それぞれのＣＷ毎トランスポート処理部１００４は、レートマッチング部１００７と復号化部１００８を有する。
【００８３】
リソースデマッピング部１００１は、端末装置７００のＣＷ１，１〜ＣＷＭ，Ｎに割り当てられたリソースブロック内のリソースエレメントから、ＣＷ１，１〜ＣＷＭ，Ｎに対応する系列を取り出す。リソースデマッピング部１００１において取り出されたＭ×Ｎ個の系列はそれぞれ、合成部１００２−１〜１００２−Ｍにおいて、プリコーディング部８０４−１〜８０４−Ｍおよびレイヤマッピング部８０３−１〜８０３−Ｍにおける処理に対応した合成処理が施され、コードワードＣＷ１，１〜ＣＷＭ，Ｎに対応するＭ×Ｎ個の受信シンボル系列が合成される。
【００８４】
合成されたＭ×Ｎ個の受信シンボル系列は、ＣＷ毎復調部１００３−１，１〜１００３−Ｍ，Ｎで復調などの処理が行なわれる。具体的には、それぞれの受信シンボル系列は、復調部１００５においてＱＰＳＫ変調・１６ＱＡＭ変調・６４ＱＡＭ変調など、変調部８１０でのデジタル変調処理に対応する復調処理が施され、デスクランブリング部１００６においてスクランブリング部８０９に対応するデスクランブリング処理が施され、Ｍ×Ｎ個の受信コードワードが取り出される。なお、それぞれの受信コードワードはビット系列であってもよいし、より好ましくは尤度情報系列として出力される。
【００８５】
トランスポート処理部７０５内のＣＷ毎トランスポート処理部１００４−１，１〜１００４−Ｍ，Ｎにおいてトランスポートチャネルの処理が施される。具体的には、Ｍ×個の受信コードワードのそれぞれに対して、レートマッチング部１００７において、デパンクチャリング・コンバイニング・デインタリービングなどの処理が施される。これらの処理は、レートマッチング部８０８におけるパンクチャリング・リピテーション・インタリービングの処理に対応する処理である。レートマッチング処理が施された受信コードワードのそれぞれは、復号化部１００８において誤り訂正復号化処理および誤り検出復号化処理が施され、Ｍ×Ｎ個のトランスポートブロックＴＢ１，１〜ＴＢＭ，Ｎが取り出される。
【００８６】
ここで、これら誤り訂正復号化処理および誤り検出復号化処理はそれぞれ、誤り訂正符号化部８０７における誤り訂正符号化処理および誤り検出符号化部８０６における誤り検出符号化処理に対応する処理である。取り出されたトランスポートブロックの中で、誤り検出復号処理により誤りが検出されたかったトランスポートブロックは、ＭＡＣ層７０６に送られる。
【００８７】
図１２は、本実施形態に係るＴＢインデクスとＴＢ順との対応付け方法の一例を示す図である。ＭＡＣ層から引き渡される複数個のＴＢはＭＡＣ層内で順序付けされており、図１２に示す例では、ＴＢインデクスのサブスクリプトの内、まずＭＣＳに係るサブスクリプトをインクリメントしていき、Ｍに達したら、次にアンテナ（あるいはレイヤ）に関するサブスクリプトをインクリメントしていく。なお、リバースフラグ等が別途送信されている場合、ＴＢ順に対してＴＢインデクスを逆に関連付けてもよい。これにより、ＴＢ順に関する情報を送信装置と受信装置との間でやり取りすることなく、受信装置側で正しい順序でＭＡＣ層に複数のＴＢを引き渡すことができる。
【００８８】
図１３は、本実施形態に係るＴＢインデクスとＴＢ順との対応付け方法の他の一例を示す図である。ＭＡＣ層から引き渡される複数個のＴＢはＭＡＣ層内で順序付けされており、図１３に示す例では、ＴＢインデクスのサブスクリプトの内、まずにアンテナ（あるいはレイヤ）係るサブスクリプトをインクリメントしていき、Ｎに達したら、次にＭＣＳに関するサブスクリプトをインクリメントしていく。なお、リバースフラグ等が別途送信されている場合、ＴＢ順に対してＴＢインデクスを逆に関連付けてもよい。これにより、ＴＢ順に関する情報を送信装置と受信装置との間でやり取りすることなく、受信装置側で正しい順序でＭＡＣ層に複数のＴＢを引き渡すことができる。
【００８９】
このように、それぞれのトランスポートブロック内では、符号化率や変調方式を一様に保持しながら、トランスポートブロック間では独立にこれらのパラメータを設定し、各トランスポートブロックを割り当てるリソースブロックの候補となる帯域は、複数のトランスポートブロック間で共通に設定する。これにより、各トランスポートブロックに対するトランスポートチャネルの処理あるいは物理層の処理の複雑性を抑制しながら、ひとつのユーザに対して周波数方向に複数の無線伝送パラメータを設定することができるため、高い周波数利用効率が得られる。
【図面の簡単な説明】
【００９０】
【図１】本実施形態に係る送信装置１００のブロック構成の一例を示す図である。
【図２】本実施形態に係る端末装置（受信装置）２００のブロック構成の一例を示す図である。
【図３】トランスポート処理部１０２、Ｌ１処理部１０３の内部ブロック構成の一例を示す図である。
【図４】Ｌ１処理部２０４とトランスポート処理部２０５の概略構成を示す図である。
【図５】周波数方向に複数のＰＲＢが配置されている様子を示した図である。
【図６】本実施形態に係るＮ（Ｎは自然数）本の送信アンテナを持つ送信装置６００のブロック構成の一例に示す図である。
【図７】本実施形態に係る端末装置７００のブロック構成の一例を示す図である。
【図８】トランスポート処理部６０２、Ｌ１処理部６０３の内部ブロック構成の一例を示す図である。
【図９】周波数方向に複数のＰＲＢが配置されている様子を示した図である。
【図１０】Ｌ１処理部７０４とトランスポート処理部７０５の概略構成を示す図である。
【図１１】本実施形態に係るＴＢインデクスとＴＢ順との対応付け方法の一例を示す図である。
【図１２】本実施形態に係るＴＢインデクスとＴＢ順との対応付け方法の一例を示す図である。
【図１３】本実施形態に係るＴＢインデクスとＴＢ順との対応付け方法の他の一例を示す図である。
【図１４】基地局装置と移動局装置の間で送受信されるＥＵＴＲＡのチャネルを示す図である。
【図１５】ＥＵＴＲＡの下りリンクで用いるフレーム構成を示す図である。
【符号の説明】
【００９１】
１００  基地局装置（送信装置）
１００ａ  スケジューラ部
１０１  ＭＡＣ層
１０２  トランスポート処理部
１０３  Ｌ１処理部
１０４  ＯＦＤＭ変調部
１０５  無線送信部
１０６  アンテナ部
２００  端末装置（受信装置）
２０１  アンテナ部
２０２  無線受信部
２０３  ＯＦＤＭ復調部
２０４  Ｌ１処理部
２０５  トランスポート処理部
２０６  ＭＡＣ層
３０１−１〜３０１−Ｍ  ＴＢ毎トランスポート処理部
３０２−１〜３０２−Ｍ  ＣＷ毎変調部
３０３−１〜３０３−Ｍ  レイヤマッピング部
３０４−１〜３０４−Ｍ  プリコーディング部
３０５  リソースマッピング部
３０６  誤り検出符号化部
３０７  誤り訂正符号化部
３０８  レートマッチング部
３０９  スクランブリング部
３１０  変調部
４０１  リソースデマッピング部
４０２−１〜４０２−Ｍ  合成部
４０３−１〜４０３−Ｍ  ＣＷ毎復調部
４０４−１〜４０４−Ｍ  ＣＷ毎トランスポート処理部
４０５  復調部
４０６  デスクランブリング部
４０７  レートマッチング部
４０８  復号化部
６００  基地局装置（送信装置）
６０１  ＭＡＣ層
６０２  トランスポート処理部
６０３  Ｌ１処理部
６０４−１〜６０４−Ｎ  ＯＦＤＭ変調部
６０５−１〜６０５−Ｎ  無線送信部
６０６−１〜６０６−Ｎ  アンテナ部
７００  端末装置（受信装置）
７０１−１〜７０１−Ｎ  アンテナ部
７０２−１〜７０２−Ｎ  無線受信部
７０３−１〜７０３−Ｎ  ＯＦＤＭ復調部
７０４  Ｌ１処理部
７０５  トランスポート処理部
７０６  ＭＡＣ層
８０１−１，１〜８０１−Ｍ，Ｎ  ＴＢ毎トランスポート処理部
８０２−１，１〜８０２−Ｍ，Ｎ  ＣＷ毎変調部
８０３−１〜８０３−Ｍ  レイヤマッピング部
８０４−１〜８０４−Ｍ  プリコーディング部
８０５  リソースマッピング部
８０６  誤り検出符号化部
８０７  誤り訂正符号化部
８０８  レートマッチング部
８０９  スクランブリング部
８１０  変調部
１００１  リソースデマッピング部
１００２−１〜１００２−Ｍ  合成部
１００３−１，１〜１００３−Ｍ，Ｎ  ＣＷ毎復調部
１００４−１，１〜１００４−Ｍ，Ｎ  ＣＷ毎トランスポート処理部
１００５  復調部
１００６  デスクランブリング部
１００７  レートマッチング部
１００８  復号化部
【図１】
2010130200.tif 000003
【図２】
2010130200.tif 000004
【図３】
2010130200.tif 000005
【図４】
2010130200.tif 000006
【図５】
2010130200.tif 000007
【図６】
2010130200.tif 000008
【図７】
2010130200.tif 000009
【図８】
2010130200.tif 000010
【図９】
2010130200.tif 000011
【図１０】
2010130200.tif 000012
【図１１】
2010130200.tif 000013
【図１２】
2010130200.tif 000014
【図１３】
2010130200.tif 000015
【図１４】
2010130200.tif 000016
【図１５】
2010130200.tif 000017